(57)【要約】【課題】  携行に便利な小型軽量化を図り、簡単確実に足へ装着可能であると共に、装着時に足への摩擦等負担が無い足裏マッサージローラの提供。【解決手段】  軟質な合成樹脂製の帯状ベルト３を湾曲させ、その両端間にキャップ６により嵌合された、硬質な合成樹脂製のシャフト５に、スペーサ４を介在させて同径の複数個の球形ローラ２を転動可能に配し、足首に回される足首固定用ロープ状部材７を帯状ベルト３へ脱着可能に連結すると共に、足首固定用ロープ状部材７を足首径に合わせ適宜調節するアジャスタ係止部３５およびアジャスタ凸部７１を備える。これにより旅行等において、疲れをほぐしたいとき、どこでも気楽に簡単に好きな時間、自由に足裏をマッサージすることが可能になり、かつ、無音で周りへの迷惑もかからない。【選択図】図１
0003118476.tif 000002
【実用新案登録請求の範囲】
【請求項１】
足幅に適合させた長さのシャフトと、
前記シャフトに転動可能に貫通された複数個の球形ローラと、
足の甲に合った形状に湾曲させ、ベルト両端間に前記シャフトが取り付けられた可とう性の帯状ベルトと、
足首に回され、両端が間隔を設けて前記ベルトへ連結された足首固定用ロープ状部材と、
を備えていることを特徴とする足裏マッサージローラ。
【請求項２】
前記足首固定用ロープ状部材が前記帯状ベルトとは別体として備え、利用者の足型に合わせ、該足首固定用ロープ状部材の長さをスライド調節可能にするアジャスタ部を少なくとも一端側に備えていることを特徴とする請求項１に記載の足裏マッサージローラ。
【請求項３】
前記足首固定用ロープ状部材は円を連続的につなぎ合わせた形状を、軟質な合成樹脂材で作製されており、足首回りに合わせて前記円が伸縮変形することを特徴とする請求項１または２に記載の足裏マッサージローラ。
【請求項４】
前記複数個の球形ローラが同径であることを特徴とする請求項１に記載の足裏マッサージローラ。
【請求項５】
前記帯状ベルトとシャフトとを一体化する、硬質な合成樹脂製のキャップを備えることを特徴とする請求項１〜４のいずれかに記載の足裏マッサージローラ。
【請求項６】
シャフト端にベルト係止部を有し、足幅に適合させた長さのシャフトと、
ローラ間にスペーサを介在させて前記シャフトに転動可能に貫通された同径の複数個の球形ローラと、
足の甲に合った形状に湾曲させ、ベルト端に前記シャフトを取り付ける孔が穿設された可とう性の帯状ベルトと、
前記帯状ベルトの孔より大径の頭部と該頭部のほぼ中央に突設され、前記孔を貫通するシャフト係合部を有し、前記帯状ベルトの両端に前記シャフトを位置させた状態で、前記シャフト係合部を帯状ベルトの孔に通して前記シャフトのベルト係止部に係止させ、前記帯状ベルトとシャフトを一体化する硬質な合成樹脂製のキャップと、
足首に回され、両端が間隔を設けて前記ベルトへ連結された足首固定用ロープ状部材と、
前記ロープ状部材を足首径に合わせ適宜調節するアジャスタ部と、を備え、
前記アジャスタ部は前記帯状ベルトの表面に突設された一対の係止部に、前記ロープ状部材の両端を挿し込み、前記係止部と前記ロープ状部材の端部の双方で凹凸係合されることを特徴とする足裏マッサージローラ。
【考案の詳細な説明】
【技術分野】
【０００１】
本考案は、旅行やスーパー銭湯や職場などに手軽に携行でき、しかもパーツを脱着自在にしてコンパクト化された足裏マッサージローラに関する。
【背景技術】
【０００２】
健康維持や増進、或いは疲労回復のために足裏のつぼを刺激する足裏マッサージ器は周知である。従来から青竹踏みに類似した床置きにて使用する、合成樹脂や木等で製作された半円筒状の本体に、半円状等の突起を設け、本体を床に置いた状態で足の裏で踏みつける構造の足裏マッサージ器が慣用されている。
【０００３】
また、足に直接装着し使用するものとして、伸縮自在な帯状ベルトに、半円球状の突起物を備え、突起物を足裏の土踏まずにあて、帯状ベルトを足の甲の上にて装着するものや、同じく土踏まずにあてる曲斜板を足踏板に備え、足踏板を輪ゴムを用いて足の甲へ装着するものが知られている。
しかし、身体の疲れをほぐす目的で足裏をマッサージする道具で持ち運び可能なものが少ない。
【特許文献１】実用新案登録第３１０２１４５号公報
【特許文献２】実用新案登録第３０５４５１６号公報
【特許文献３】実開平５−５３６４１号公報
【考案の開示】
【考案が解決しようとする課題】
【０００４】
本考案の目的は、旅行等携行に便利な小型軽量化すると共に、誰にでも簡単確実に足へ装着可能で、また、装着時に足への摩擦等負担が無く装着使用による痛みを覚えない足裏マッサージローラの提供にある。
【課題を解決するための手段】
【０００５】
上記の目的を達成するために、請求項１の考案に係る足裏マッサージローラは、足幅に適合させた長さのシャフトと、前記シャフトに転動可能に貫通された複数個の球形ローラと、足の甲に合った形状に湾曲させ、ベルト両端間に前記シャフトが取り付けられた可とう性の帯状ベルトと、足首に回され、両端が間隔を設けて前記ベルトへ連結された足首固定用ロープ状部材と、を備えていることを特徴としている。
【０００６】
請求項２の考案は、請求項１において、足首固定用ロープ状部材が前記帯状ベルトとは別体として備え、利用者の足型に合わせ、該足首固定用ロープ状部材の長さをスライド調節可能にするアジャスタ部を少なくとも一端側に備えていることを特徴としている。
【０００７】
請求項３の考案は、請求項１または２において、足首固定用ロープ状部材は円を連続的につなぎ合わせた形状を、軟質な合成樹脂材で作製されており、足首回りに合わせて前記円が伸縮変形することを特徴としている。
【０００８】
請求項４の考案は、請求項１において、複数個の球形ローラが同径であることを特徴としている。
【０００９】
請求項５の考案は、請求項１〜４のいずれかにおいて、帯状ベルトとシャフトとを一体化する、硬質な合成樹脂製のキャップを備えることを特徴としている。
【００１０】
請求項６の考案は、シャフト端にベルト係止部を有し、足幅に適合させた長さのシャフトと、ローラ間にスペーサを介在させて前記シャフトに転動可能に貫通された同径の複数個の球形ローラと、足の甲に合った形状に湾曲させ、ベルト端に前記シャフトを取り付ける孔が穿設された可とう性の帯状ベルトと、前記帯状ベルトの孔より大径の頭部と該頭部のほぼ中央に突設され、前記孔を貫通するシャフト係合部を有し、前記帯状ベルトの両端に前記シャフトを位置させた状態で、前記シャフト係合部を帯状ベルトの孔に通して前記シャフトのベルト係止部に係止させ、前記帯状ベルトとシャフトを一体化する硬質な合成樹脂製のキャップと、足首に回され、両端が間隔を設けて前記ベルトへ連結された足首固定用ロープ状部材と、前記ロープ状部材を足首径に合わせ適宜調節するアジャスタ部と、を備え、
前記アジャスタ部は前記帯状ベルトの表面に突設された一対の係止部に、前記ロープ状部材の両端を挿し込み、前記係止部と前記ロープ状部材の端部の双方で凹凸係合されることを特徴としている。
【考案の効果】
【００１１】
請求項１の考案によれば、可とう性のある素材を使用することにより、使用者の足の形状に合わせ帯状ベルトの形状を自由に変化させることが可能なため、心地よいフィット感を得られ、また、帯状ベルトが直接皮膚に接触する部分に関しても、摩擦等によるダメージを少なくすることができる。
【００１２】
また、足の甲に湾曲させた帯状ベルトの両端間にシャフトを取付けることにより、足裏のちょうど土踏まず部分に転動可能に球形ローラを配することができ、さらに、帯状ベルトを足首固定用ロープ状部材により、マッサージ運動時にも帯状ベルトが足から脱落することを防ぐことができる。
上記の構成の通り、帯状ベルトの両端間に備えられたシャフトに貫通されたローラと、帯状ベルトを足首に固定するための、足首固定用ローブ状部材のみのため、簡単に分解・組み立てができると共に、軽量且つ、コンパクトであり携行性に優れている。
【００１３】
請求項２の考案によれば、足首固定用ローブ状部材は、利用者の足の形状、特に足首周りのサイズに合わせ、伸縮自在にベルトの長さを調節すべく、アジャスタ機能を少なくとも一端に備えているため、帯状ベルトを確実に足に固定することができる。
【００１４】
請求項３の考案によれば、足首固定用ロープ状部材が、円を連続的につなぎ合わせた形状であるため、利用者が足首にロープ状部材を装着したときに、特に突起したくるぶし部分に大きな円形の肉抜き穴を形成することにより、ロープ状部材がくるぶしに強く当り摩擦することを避けることができる。
【００１５】
また、ロープ状部材が軟質な合成樹脂材で形成されているため、そのほかの皮膚との接触部分への負担も軽減することができる。さらに、円を連続的につなぎ合わせた形状の一つ一つの円が伸縮変形し、運動時の装着感をサポートし、利用者個々の異なる足の形状に微細に調節可能にできる。
【００１６】
請求項４の考案によれば、球形ローラを同径のものとすることにより、構成をより簡素化し、組み立て易くすることができる。
【００１７】
請求項５の考案によれば、金具等を使わずに硬質な合成樹脂製のキャップにより、帯状ベルトとシャフトを嵌合することにより、構成等の簡素化と共に、軽量かつ組み付け易くなる。
【００１８】
請求項６の考案によれば、旅行等携行に便利な小型軽量化されており、仕事の合間、旅行等いつでも気軽に使い易く足裏をマッサージできる。しかも足首とローラを固定する箇所に調節アジャスタが付いている為、使う人が自由に合わせることができる。
【考案を実施するための最良の形態】
【００１９】
本考案は、硬質な合成樹脂製のシャフトに、同径の３個の球形ローラを転動可能に貫通させ、このシャフトの両端に、湾曲させた軟質な合成樹脂製の帯状ベルトを取り付け、このベルトに調節可能な足首固定用ロープ状部材を連結して構成し、ベルトとローラの間に足を挿入し足の甲をベルトに接触させた状態で足首固定用ロープ状部材を足首に回して固定し、足の前後運動により足裏のマッサージを実現した。
【実施例１】
【００２０】
図１は本考案が係る足裏マッサージローラ１の斜視図である。
足裏のマッサージローラ１は同径の３個の球形ローラ２をシャフト５に転動可能に貫通させ、このシャフト５の両端に湾曲させて取り付けた帯状ベルト３のアジャスタ係止部３５に足首固定用ロープ状部材７の両端に備えたアジャスタ凸部７１を調節可能に連結して構成される。
【００２１】
図２は球状ローラ２の断面図、図３はスペーサ４の側面図である。
球状ローラ２は柔軟な合成樹脂製であり、複数個かつ同径により構成され、シャフト５に配するための貫通穴２Ａが設けられている。各球状ローラ２間及び両端の球状ローラ２と帯状ベルト３の間にはスペーサ４を介在させ、ローラ間隔を保持すると共に、互いの干渉を防ぎスムーズに転動可能になっている。
【００２２】
図４は帯状ベルト３の表面を示す平面図、図５は帯状ベルト３の裏面を示す平面図である。
帯状ベルト３は皮膚に接触するときに接触部分の負担を軽減するため、柔軟な合成樹脂製であり、足の甲の形に沿ってアーチ状に湾曲させている。帯状ベルト３の裏面は前後の往復運動時に足の甲からのずれを防止するため、運動方向に直交する立体状の筋３１が設けられている。また同様に運動方向に平行な立体状の筋３２が両端に設けられている。これは皮膚との接触面を減らし、摩擦による皮膚の負担の軽減にも寄与する。
【００２３】
帯状ベルト３の両端部には後述のシャフト５と連結時にキャップ６を貫通させるための孔３３が穿設されている。孔３３の帯状ベルト３表面側には、図４Ｂに示すようにキャップ６の嵌合時に頭部を埋設するようキャップ６の径を囲う円形の突起部３４が設けられている。また、湾曲させたときの外側表面の上部中心から左右の位置には一対のアジャスタ係止部３５が突設されている。
【００２４】
図１に示すように、帯状ベルト３を湾曲させた状態でシャフト５に取り付ける際にキャップ６により嵌合する。キャップ６は硬質な合成樹脂製であり、帯状ベルト３の両端部の孔３３に通し、シャフト５の端部に嵌合する。キャップ６の内面が鍵状に形成されているため、一度嵌合すると外れない、もしくは外れにくい構造になっている。
【００２５】
図６はシャフト５とキャップ６との嵌合時の側面図、図７はシャフト５とキャップ６との嵌合時の平面図である。
キャップ６の受け側であるシャフト５には、シャフト端面に開放した溝５１が形成されている。溝５１のシャフト中心部には段差部５２が設けられ、且つ、シャフト断面がＵ字断面になるよう貫通部５３が形成されている。
【００２６】
図８はキャップの平面図である。
キャップ６の構造を詳しく説明する。
キャップ６はキャップ頭部６１と差込部６２とを持っている。キャップ頭部６１はシャフト５に嵌合させた時に表面の端面となる帯状ベルト３の両端部の孔３３より大径に形成されている。差込部６２は帯状ベルト３の孔３３に貫通され、かつ外形がシャフト５の径にほぼ等しい寸法であって、シャフト５の溝５１に嵌まり込む肉厚の幅を持っている。
【００２７】
差込部６２にはシャフト５の溝５１に設けられた、貫通部５３に入り込むよう鍵状に形成された内幅６３に対し、更に狭い内幅６４を持つ狭小部６５が設けられている。シャフトの溝５１にキャップの差込部６２を嵌め込むと狭小部６５を押し広げて溝５１を進んだ後、貫通部５３で狭小部６５が元の形状に戻ることにより、溝５１に差込部６２が強固に係止される。
【００２８】
図９は足首固定用ローブ状部材７の平面図である。
足首固定用ローブ状部材７は足の甲に引っ掛けられた帯状ベルト３と足首とを固定する部材であって、帯状ベルト３に突設された一対のアジャスタ係止部３５に押し込む複数のアジャスタ凸部７１を両端に備えている。足のくるぶし付近に接触する部分はくるぶしを囲うように肉抜き成型（図示７２）されており、足首固定用ローブ状部材７とくるぶしとの接触を無くし、使用時の摩擦による痛みを軽減する構造となっている。同時に足首固定用ローブ状部材７の中心に位置する部分にも、くるぶし部の肉抜き穴より小さい径の肉抜き穴（図示７３）およびその両側にさらに小さい径の肉抜き穴（図示７４）が連続して形成されている。両肉抜き穴も皮膚に足首固定用ローブ状部材７が接触する面積を小さくし、運動時の摩擦による皮膚の痛みを軽減すると共に、肉抜き穴の伸縮方向の弾性変形により、より微細に足首周りのサイズに合わせることができる。
【００２９】
図４Ａは図４のＡ―Ａ線に沿ったアジャスタ係止部３５の拡大断面を示す。
アジャスタは帯状ベルト３側に設けられた一対のアジャスタ係止部３５がベルト面に平行に開口３６されている。アジャスタ係止部３５には足首固定用ロープ状部材７の両端をそれぞれの開口３６に挿し入れるよう構成されている。足首固定用ローブ状部材７の両端にはアジャスタ凸部７１が形成されており、アジャスタ係止部３５に挿し入れると双方が弾性変形し係止される。アジャスタ凸部７１は、図１０に示すように軟質な合成樹脂製の足首固定用ローブ状部材７の両端部に波状７５に形成されており、その頂部が帯状ベルト３のアジャスタ係止部３５に弾性変形しながら押し入り、形状を戻すことによりその位置に定位する。
【００３０】
次に、球状ローラ２、帯状ベルト３、足首固定用ローブ状部材７の組み立てについて説明する。
帯状ベルト３の孔３３に、帯状ベルト３の表面側よりシャフト５の開放端を通し、他端に位置するシャフト頭部が帯状ベルト表面の貫通穴周囲に設けられた突起部３４に埋設されるまで押入れ、転動可能に係止する。
帯状ベルト３の一端に貫通された片持ち状態のシャフト５の開放端より、スペーサ４を差込み、続いて球状ローラ２の貫通穴２Ａをシャフト５に貫通させ球状ローラ２を転動可能に配する。
一つの球状ローラ２を貫通させた後にスペーサ４を介在させ、１つめ以降の球状ローラ２も同様に貫通させる。最後に差し込んだ球状ローラ２の次にスペーサ４を貫通させる。
球状ローラ２を全て貫通させたシャフト５の開放端を、片持ちの帯状ベルト３の他端の孔３３に裏面より押入れる。
シャフト５の片端に開放した溝５１にキャップ６の差込部６２を挿入し、差込部６２の狭小部６５が弾性変形しながら、溝５１の中心に設けられた段差部５２を乗り越えた後に、差込部６２の先端の鍵部を溝奥端の貫通部５３に落とすことにより強固に係止する。
このとき、キャップの差込部６２は、ほぼシャフト５と同径になる。
【００３１】
足裏マッサージローラ１を使用する際に、帯状ベルト３のアジャスタ係止部３５に、足首固定用ロープ部材７のアジャスタ凸部７１を押し入れ、足首に巻き付けるように足首固定用ロープ部材７を帯状ベルト３と連結する。
【００３２】
次に、組み立てた足裏マッサージローラ１の使用法について説明する。
帯状ベルト３のアジャスタ係止部３５のどちらか片方に、あらかじめ足首固定用ロープ部材７のアジャスタ凸部７１を押し込み、片持ちで足首固定用ロープ部材７を帯状ベルト３に連結した状態で保持する。このときのアジャスタ位置は任意の場所でよい。左右どちらかのマッサージをしたい側の足を、帯状ベルト３と複数個並んだ球状ローラ２の間の空間８に挿入し、足の甲を帯状ベルト３の裏面に接触させる。この時、球状ローラ２はちょうど土踏まずの位置にくる。
足首固定用ロープ部材７の連結されていない端部を足首うしろにまわすように、帯状ベルト３上部のアジャスタ係止部３５に押し込み係止する。使用者個々に合わせアジャスタ位置を最適に適宜調節する。
足裏マッサージローラ１を装着した状態で、足を前後に往復運動し、足裏をマッサージする。使用者の好みにより、足を地面に踏みつける強さを適宜調節し、マッサージに強弱をつけることができる。
【図面の簡単な説明】
【００３３】
【図１】本考案に係る足裏マッサージローラの実施例を示す斜視図である。
【図２】球状ローラの断面図である。
【図３】スペーサの側面図である。
【図４】帯状ベルトの表面を示す平面図である。
【図４Ａ】図４のＡ―Ａ線に沿ったアジャスタ係止部の断面図である。
【図４Ｂ】図４のＢ―Ｂ線に沿ったキャップ装着部の断面図である。
【図５】帯状ベルトの裏面を示す平面図である。
【図６】シャフトとキャップとの嵌合時の側面図である。
【図７】シャフトとキャップとの嵌合時の平面図である。
【図８】キャップの平面図である。
【図９】足首固定用ローブ状部材の平面図である。
【図１０】アジャスタ凸部の側面図である。
【符号の説明】
【００３４】
１    足裏マッサージローラ
２    球形ローラ
３    帯状ベルト
４    スペーサ
５    シャフト
６    キャップ
７    足首固定用ローブ状部材
３５  アジャスタ係止部
７１  アジャスタ凸部
【図１】
0003118476.tif 000003
【図２】
0003118476.tif 000004
【図３】
0003118476.tif 000005
【図４】
0003118476.tif 000006
【図４Ａ】
0003118476.tif 000007
【図４Ｂ】
0003118476.tif 000008
【図５】
0003118476.tif 000009
【図６】
0003118476.tif 000010
【図７】
0003118476.tif 000011
【図８】
0003118476.tif 000012
【図９】
0003118476.tif 000013
【図１０】
0003118476.tif 000014